Podtech/llm-jp-corpus-v4-ja_patent huggingface dataset:
【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
医用画像撮像装置から送られる画像データを保存する記憶部と、前記画像データの画像処理を行う画像処理部と、前記画像処理部によって形成された画像を表示する表示部と、画像処理部に必要な指令を入力するための入力手段とを備えた医用画像表示装置であって、
前記画像処理部は、前記記憶部に保存された３次元画像データを所定の回転軸を中心とする複数の投影方向に投影し、複数の投影像を作成する投影処理手段と、前記入力手段から入力される回転軸指定を受付け、指定された回転軸を投影像作成の回転軸とするように画像データの座標を変換する座標変換手段を備えたことを特徴とする医用画像表示装置。
【請求項２】
前記画像表示部は、３次元画像データから得た被検体画像と回転軸を表すマークとを重ねて表示し、入力手段の操作により被検体画像に対する前記マークの相対位置を移動可能に表示することを特徴とする請求項１記載の医用画像表示装置。
【請求項３】
前記座標変換手段は、前記入力手段の操作による前記マークと前記被検体画像との相対位置の変化を入力し、この変化量を用いて前記画像データの座標を座標変換することを特徴とする請求項２記載の医用画像表示装置。
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
複数台列設されたパチンコ遊技機及び遊技媒体貸出機と、パチンコ玉を磨きながら揚送する玉揚送装置とから成る遊技島を対向して配設し、当該遊技島の上方端部に玉供給装置を対向して備え、上記玉供給装置間にパチンコ玉の供給路と受給路を兼ねた一本の水平なバランス樋を掛け渡し、当該玉供給装置は、回転駆動する桟付傾斜ベルトと、傾斜滑り台とから成り、玉供給装置から放出されたパチンコ玉は、回転駆動する桟付傾斜ベルトの回転力と、傾斜滑り台の落下速度によって一本の水平なバランス樋を転動して隣側の遊技島内に相互に供給し合う、構成としたことを特徴とする玉供給装置。
【請求項２】
複数台列設されたパチンコ遊技機及び遊技媒体貸出機と、パチンコ玉を磨きながら揚送する上部タンクを備えた玉揚送装置と、遊技島内にパチンコ玉を貯留する玉貯留タンクと、上記上部タンクから供給されるパチンコ玉を島端部に導く供給樋と、該供給樋の終端に連接した玉供給装置を備えた遊技島を、通路を挟んで対向する位置に配設し、上記玉供給装置間に、供給路と受給路を兼ねた一本の水平なバランス樋を架け渡し、玉貯留タンク内の玉量に応じて、何れか側の玉供給装置が駆動している間、放出されたパチンコ玉が一本のバランス樋を転動して対向した遊技島内に相互に供給し合うようにしたことを特徴とする、循環還流システム。
【手続補正２】
【補正対象書類名】明細書
【補正対象項目名】０００９
【補正方法】変更
【補正の内容】
【０００９】本発明の構成によれば、複数台列設されたパチンコ遊技機及び遊技媒体貸出機と、パチンコ玉を磨きながら揚送する玉揚送装置とから成る遊技島を対向して配設し、当該遊技島の上方端部に玉供給装置を対向して備え、上記玉供給装置間にパチンコ玉の供給路と受給路を兼ねた一本の水平なバランス樋を掛け渡し、当該玉供給装置は、回転駆動する桟付傾斜ベルトと、傾斜滑り台とから成り、玉供給装置から放出されたパチンコ玉は、回転駆動する桟付傾斜ベルトの回転力と、傾斜滑り台の落下速度によって一本の水平なバランス樋を転動して隣側の遊技島内に相互に供給し合う、構成としたことによって達成される。また、本発明の構成によれば、複数台列設されたパチンコ遊技機及び遊技媒体貸出機と、パチンコ玉を磨きながら揚送する上部タンクを備えた玉揚送装置と、遊技島内にパチンコ玉を貯留する玉貯留タンクと、上記上部タンクから供給されるパチンコ玉を島端部に導く供給樋と、該供給樋の終端に連接した玉供給装置を備えた遊技島を、通路を挟んで対向する位置に配設し、上記玉供給装置間に、供給路と受給路を兼ねた一本の水平なバランス樋を架け渡し、玉貯留タンク内の玉量に応じて、何れか側の玉供給装置が駆動している間、放出されたパチンコ玉が一本のバランス樋を転動して対向した遊技島内に相互に供給し合うようにした、ことによって達成される。
【手続補正書】
【提出日】平成18年7月25日(2006.7.25)
【手続補正１】
【補正対象書類名】特許請求の範囲
【補正対象項目名】全文
【補正方法】変更
【補正の内容】
【特許請求の範囲】
【請求項１】
画面表示可能な表示手段を備えた遊技機であって、
遊技者によって撮影される撮影対象画像を前記表示手段にて表示させる撮影対象画像表示制御手段と、
日時を計数する時計手段と、
その時計手段より取得した前記撮影対象画像の表示に関連する日付及び／又は時刻を表す日時情報を少なくとも含む識別情報を前記表示手段にて前記撮影対象画像と共に表示させる識別情報表示制御手段と、
を備えたことを特徴とする遊技機。
【請求項２】
前記日時情報は、前記時計手段より取得した前記撮影対象画像の表示に関連する日付情報及び時分情報を含むことを特徴とする請求項１に記載の遊技機。
【請求項３】
前記識別情報は、所定条件でカウントアップされるカウンタ値をさらに含むことを特徴とする請求項１又は２に記載の遊技機。
【請求項４】
前記識別情報は、遊技機を識別するための遊技機識別情報をさらに含むことを特徴とする請求項１乃至３のいずれかに記載の遊技機。
【請求項５】
遊技者を識別するための遊技者識別情報を入力させる遊技者識別情報入力手段を備え、
前記識別情報は、前記遊技者識別情報入力手段によって入力された遊技者識別情報をさらに含むことを特徴とする請求項１乃至４のいずれかに記載の遊技機。
【請求項６】
前記時計手段は、標準時に基づく標準電波を受信可能な電波時計であることを特徴とする請求項１乃至５のいずれかに記載の遊技機。
【請求項７】
前記識別情報表示制御手段は、前記撮影対象画像が表示された日付及び／又は時刻を表す日時情報を少なくとも含む識別情報を前記表示手段にて表示させることを特徴とする請求項１乃至６のいずれかに記載の遊技機。
【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
前面側に遊技球が流下可能な遊技領域を備えた遊技盤と、
遊技球を入球可能な遊技部材とを備えた遊技機であって、
前記遊技盤は、前記遊技部材に対応して設けられ、遊技球を当該遊技盤の背面側に導出する開口部を有し、
前記遊技部材は、
上部が凹設されることで形成され、前記開口部と連通する連通部を有し、前記遊技盤に対し当接固定される略板状の基部材と、
前記連通部に対応して前記基部材の前方に突出し、前記連通部の前方に流下してきた遊技球を前記連通部に案内する突出部材と、
前記遊技盤面と略直交して前方へ延び、少なくとも前記連通部の上部両側において前記基部材への遊技球の接触を規制する庇部材とを備えることを特徴とする遊技機。
【請求項２】
前記基部材は取付孔を有し、当該取付孔に取付手段が取着されることで前記基部材が前記遊技盤に取着固定され、
前記庇部材は、前記遊技盤面と略直交して前方へ延びる庇部と、前記庇部と一体形成され、少なくとも前記取付孔を隠伏する隠伏部とを備えることを特徴とする請求項１に記載の遊技機。
【請求項３】
前記隠伏部は、前方に開口した形状に構成される前記突出部材の前側を閉塞することを特徴とする請求項２に記載の遊技機。
【請求項４】
前記庇部材は、前記隠伏部の背面から突出し、前記基部材又は前記遊技盤に設けられた被係止部に係止される係止部を備えるとともに、
前記係止部と前記被係止部との係止部位に対応して、当該係止部位を操作するための挿通孔を有することを特徴とする請求項２又は３に記載の遊技機。
【請求項５】
前記庇部材の突出長は、遊技球の直径よりも大きいことを特徴とする請求項１乃至４のいずれかに記載の遊技機。
【請求項６】
前記遊技盤の前面に対向して透明部材が設けられ、
前記庇部材の前端部と前記透明部材との間隔が遊技球の直径よりも狭いことを特徴とする請求項１乃至５のいずれかに記載の遊技機。
【手続補正書】
【提出日】平成18年2月1日(2006.2.1)
【手続補正１】
【補正対象書類名】特許請求の範囲
【補正対象項目名】全文
【補正方法】変更
【補正の内容】
【特許請求の範囲】
【請求項１】
複数の靴紐通しを有する左と右の両甲被の間に、甲前開口部を内側から覆って両甲被に接する舌片を配置した靴において、
靴紐通しは、甲前開口部に沿って設けられ、前後に互いに隣接する靴紐通しの少なくとも２つが、紐穴によって形成されたものであり、
舌片は、舌片本体と少なくとも１つの紐通し部とを含んでなり、
紐通し部は、帯体によって形成され、前記２つの紐穴の間の部分に対面し、かつ前記２つの紐穴の間を横切る向きに形成されていることを特徴とする舌片を配した靴。
【請求項２】
紐通し部は、左と右のそれぞれの甲被に対応して舌片本体に２つ設けられ、
少なくとも一方の紐通し部は、両端が舌片本体に繋がる帯体によって形成されたものであり、かつ靴紐がその中で並行移動できる大きさを有していることを特徴とする請求項１記載の舌片を配した靴。
【請求項３】
舌片は、舌片本体に補強部を有したものであり、補強部は、一方の紐通し部またはその近傍より他方の紐通し部またはその近傍に架け渡されて設けられていることを特徴とする請求項２記載の舌片を配した靴。
【手続補正２】
【補正対象書類名】明細書
【補正対象項目名】０００７
【補正方法】変更
【補正の内容】
【０００７】
そして、本発明は、このような靴において、靴紐通しは、甲前開口部に沿って設けられ、前後に互いに隣接する靴紐通しの少なくとも２つが、紐穴によって形成されたものであり、舌片は、舌片本体と少なくとも１つの紐通し部とを含んでなり、紐通し部は、帯体によって形成され、前記２つの紐穴の間の部分に対面し、かつ前記２つの紐穴の間を横切る向きに形成されている構成である。そして、帯体による紐通し部は、通した靴紐がその中で並行移動できる大きさを有していることが好ましい。
【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
遊技媒体の貸出の情報を記憶した記憶媒体とのデータのやり取りによって貸出に関連する処理を行う記憶媒体処理手段と、前記記憶媒体処理手段と電気的に接続可能な遊技機本体とを備えた遊技機において、
前記記憶媒体処理手段は、
前記遊技機本体に対して貸出に関連する指示を制御する貸出制御手段と、
前記貸出制御手段の制御信号を前記遊技機本体に送信する送信手段と、
前記遊技機本体に供給する電力を生成する電力生成手段と、
前記電力生成手段で生成される電力を前記遊技機本体に出力するための電力出力手段と
を備え、
かつ、前記記憶媒体処理手段と前記遊技機本体とは接続手段を介して電気的に接続され、
前記接続手段は、前記記憶媒体処理手段から前記遊技機本体に制御信号を送信する信号用配線と、前記記憶媒体処理手段から前記遊技機本体に電力を供給する電力供給用配線とを備えていることを特徴とする遊技機。
【請求項２】
請求項１に記載の遊技機において、
前記接続手段は、前記信号用配線と前記電力供給用配線とを一体化して形成されているものであることを特徴とする遊技機。
【請求項３】
請求項２に記載の遊技機において、
前記接続手段は、前記信号用配線と前記電力供給用配線とを一体化するとともに、この一体化された前記信号用配線および前記電力供給用配線の周囲を被覆して形成されていることを特徴とする遊技機。
【請求項４】
請求項１または請求項２に記載の遊技機において、
前記記憶媒体処理手段から前記遊技機本体への電力供給は、前記接続手段の前記電力供給用配線をコネクタ接続することによって行われ、
前記記憶媒体処理手段から前記遊技機本体への制御信号供給は、前記接続手段の前記信号用配線をコネクタ接続することによって行われ、
前記信号用配線のコネクタと前記電力供給用配線のコネクタとを一体化していることを特徴とする遊技機。
【請求項５】
請求項１から請求項４のいずれか一つに記載の遊技機において、
前記記憶媒体処理手段は、前記遊技媒体としての遊技球の発射を許可するための発射許可信号を、前記信号用配線を介して前記遊技機本体に送信することを特徴とする遊技機。
【請求項６】
請求項１から請求項４のいずれか一つに記載の遊技機において、
前記遊技機本体は、前記遊技媒体としての遊技球の発射を制御する発射制御装置を備え、
前記発射制御装置は、前記記憶媒体処理手段から前記電力供給用配線を介して前記遊技機本体に供給された電力で駆動されることを特徴とする遊技機。
【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を有する遊技盤と、
遊技者による発射操作に応じて、遊技球を前記遊技盤の遊技領域に打ち込む遊技球発射手段と、
遊技領域内に設けられ、識別情報を変動表示する識別情報変動表示手段と、
遊技領域内に設けられ、遊技球が入球可能で識別情報の変動表示の起因となる始動入球手段と、
前記始動入球手段に遊技球が入球したことを検出する入球検出手段と、
特別遊技状態となるか否かを決定するための第１乱数群を発生させる第１乱数発生手段と、
前記入賞検出手段での入賞検出に基づいて、前記第１乱数発生手段で発生させた第１乱数群のうちの一の第１乱数を記憶する第１乱数記憶手段と、
前記第１乱数記憶手段に記憶された第１乱数が当り値であるか否かを判定する第１判定手段とを備えた遊技機において、
前記識別情報変動表示手段は、複数個の棒状のセグメント表示部で構成され、
さらに、前記複数個のセグメント表示部の表示態様を変化させて異なる大きさの図柄を識別情報変動表示手段に表示するように制御する表示制御手段と、
前記第１判定手段で当り値であると判定された場合に特別遊技状態を発生させる特別遊技状態発生手段と
を備えていることを特徴とする遊技機。
【請求項２】
請求項１に記載の遊技機において、
前記セグメント表示部は、発光素子であって、
前記識別情報変動表示手段は、１２個の前記発光素子を略『田』の字状に配列した１２セグメント表示手段であることを特徴とする遊技機。
【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
制御基板が基板ボックスに収容された状態で取付台に取り付けられてなる遊技機において、
前記基板ボックス又は取付台の一方に嵌合部を設けると共に、他方に前記嵌合部に対応する被嵌合部を設け、
前記嵌合部は、第１部位と第２部位とを有しており、
前記嵌合部と前記被嵌合部とが嵌合状態になると、前記第１部位と第２部位とが相互に離間した状態で前記嵌合状態が保持されて、前記取付台に対する前記基板ボックスの取り外しが規制され、
専用の解除部材を取り付けることによって、当該解除部材からの作用力を受けた前記第１部位及び前記第２部位のうち少なくとも一方が他方の部材側に移動する近接状態となって前記嵌合状態が解除されて、前記取付台に対する前記基板ボックスの取り外しが許容されることを特徴とする遊技機。
【請求項２】
前記第１部位及び前記第２部位を相互に離間させるように付勢する付勢手段を備え、
前記解除部材からの作用力を受けた前記第１部位及び前記第２部位の少なくとも一方は、前記付勢手段の付勢力に抗して他方の部材側に移動する近接状態となることを特徴とする請求項１に記載の遊技機。
【請求項３】
前記嵌合部は、前記被嵌合部に収容された状態で嵌合するようになっており、
前記解除部材は、前記被嵌合部に設けられた挿入孔より挿入され、前記被嵌合部内部において、前記第１部位及び前記第２部位を前記近接状態で係止することによって、前記嵌合状態が解除されることを特徴とする請求項１又は２に記載の遊技機。
【請求項４】
前記解除部材は、他の部位より断面積の小さい破断部を有し、所定の荷重が加わると、前記破断部にて先端側部材と後端側部材とに切断されるようになっており、
前記先端側部材が、前記被嵌合部内部において前記第１部位及び前記第２部位を前記近接状態で係止することを特徴とする請求項３に記載の遊技機。
【請求項５】
前記被嵌合部内部において前記第１部位及び前記第２部位を前記近接状態で係止する前記解除部材を取出不能としたことを特徴とする請求項３又は４に記載の遊技機。
【手続補正２】
【補正対象書類名】明細書
【補正対象項目名】発明の名称
【補正方法】変更
【補正の内容】
【発明の名称】遊技機
【手続補正書】
【提出日】平成18年6月16日(2006.6.16)
【手続補正１】
【補正対象書類名】明細書
【補正対象項目名】特許請求の範囲
【補正方法】変更
【補正の内容】
【特許請求の範囲】
【請求項１】
操作部の操作手段が操作されることによって湾曲する湾曲部が先端側に設けられた挿入部を有する内視鏡と、
上記内視鏡の上記挿入部を挿通可能な管状部材であり、挿通された上記挿入部の形状変化によって受動的に湾曲する可撓性管部を具備するオーバチューブと、
を有する内視鏡システムであって、
上記オーバチューブと上記オーバチューブに挿通される上記内視鏡の挿入部とを互いに固定する固定手段を有することを特徴とする内視鏡システム。
【請求項２】
操作部の操作手段が操作されることによって湾曲する湾曲部が先端側に設けられた挿入部を有する内視鏡と、
上記内視鏡の上記挿入部を挿通可能な管状部材であり、挿通された上記挿入部の形状変化によって受動的に湾曲する可撓性管部と、上記挿入部が挿通された際に上記可撓性管部を任意の形状に固定可能な形状保持手段とを具備するオーバーチューブと、
を有する内視鏡システムであって、
上記オーバーチューブと上記オーバーチューブに挿通される上記内視鏡の挿入部とを互いに固定する固定手段を有することを特徴とする内視鏡システム。
【請求項３】
上記可撓性管部は、内シースと外シースの２層で構成され、上記外シースの内側に設けられた上記内シースの外周には、上記外シースの内周面に接触することにより摩擦力を発生する螺旋状の摩擦部材が配設されており、
上記形状保持手段は、上記摩擦部材の摩擦力を調整する摩擦力調整機構を有していることを特徴とする請求項２に記載の内視鏡システム。
【請求項４】
上記固定手段は、上記内視鏡の挿入部と上記オーバチューブとの少なくとも一方に設けられていることを特徴とする請求項１または請求項２に記載の内視鏡システム。
【請求項５】
上記固定手段は、送気または送水により膨張するバルーンであり、少なくとも１個以上設けられたことを特徴する請求項４に記載の内視鏡システム。
【手続補正２】
【補正対象書類名】明細書
【補正対象項目名】０００９
【補正方法】変更
【補正の内容】
【０００９】
【課題を解決するための手段、及び作用】
本発明の一態様による内視鏡システムは、操作部の操作手段が操作されることによって湾曲する湾曲部が先端側に設けられた挿入部を有する内視鏡と、上記内視鏡の上記挿入部を挿通可能な管状部材であり、挿通された上記挿入部の形状変化によって受動的に湾曲する可撓性管部を具備するオーバチューブと、を有する内視鏡システムであって、上記オーバチューブと上記オーバチューブに挿通される上記内視鏡の挿入部とを互いに固定する固定手段を有することを特徴とする。
【手続補正３】
【補正対象書類名】明細書
【補正対象項目名】００１０
【補正方法】変更
【補正の内容】
【００１０】
本発明の別の態様による内視鏡システムは、操作部の操作手段が操作されることによって湾曲する湾曲部が先端側に設けられた挿入部を有する内視鏡と、上記内視鏡の上記挿入部を挿通可能な管状部材であり、挿通された上記挿入部の形状変化によって受動的に湾曲する可撓性管部と、上記挿入部が挿通された際に上記可撓性管部を任意の形状に固定可能な形状保持手段とを具備するオーバーチューブと、を有する内視鏡システムであって、上記オーバーチューブと上記オーバーチューブに挿通される上記内視鏡の挿入部とを互いに固定する固定手段を有することを特徴とする。
【手続補正書】
【提出日】平成18年6月28日(2006.6.28)
【手続補正１】
【補正対象書類名】明細書
【補正対象項目名】特許請求の範囲
【補正方法】変更
【補正の内容】
【特許請求の範囲】
【請求項１】
柔軟で形状変更可変な第１の状態もしくは形状を保った状態で固定化される第２の状態を取り得る第１の部材および、柔軟で形状変更可能な第１の状態もしくは形状を保った状態で固定化される第２の状態を取り得る第２の部材を備え、内視鏡の挿通経路を形成する可撓性管部と、
前記第１の部材および前記第２の部材の少なくとも一方に対して固定化を指示する操作部と、
を具備することを特徴とする内視鏡挿入用補助具。
【請求項２】
前記第２の部材は、前記第１の部材が挿通可能な内空が形成された管状部材であることを特徴とする請求項１に記載の内視鏡挿入補助具。
【請求項３】
前記第１の部材は、内視鏡が挿通可能な内空が形成された管状部材であることを特徴とする請求項２に記載の内視鏡挿入補助具。
【請求項４】
前記第１の部材と、前記第２の部材と、の少なくとも一方が、体腔内に挿入されて湾曲された状態で前記第２の状態をとることにより、さらに、体腔に対する位置を固定する機能を果たすことを特徴とする請求項１に記載の内視鏡挿入用補助具。
【請求項５】
前記第１の部材と、前記第２の部材と、の少なくとも一方が、体腔内に挿入されて湾曲された状態で前記第２の状態をとることにより、さらに、体腔に対する位置を固定する機能を果たすことを特徴とする請求項２に記載の内視鏡挿入用補助具。
【請求項６】
内視鏡を内部に挿通し得るとともにバルーンを内部に挿通し得る挿通孔と、この挿通孔の周りに配列された複数の管路と、を備えた管状部材と、
前記管状部材の管路内に挿通するためのものであり、柔軟で形状可変な第１の状態と、形状を保った状態で固定化される第２の状態と、を取り得るロッド状部材と、
を具備し、
前記ロッド状部材を前記管状部材の管路に挿通して延出させ、かつ、前記バルーンを前記管状部材の挿通孔に挿通して延出させた状態で、該バルーンを膨張させ、その後に該ロッド状部材に前記第２の状態をとらせることにより、体腔内における空間を確保する機能を果たすことを特徴とする内視鏡挿入用補助具。
【手続補正２】
【補正対象書類名】明細書
【補正対象項目名】０００７
【補正方法】変更
【補正の内容】
【０００７】
【課題を解決するための手段】
上記の目的を達成するために、第１の発明による内視鏡挿入用補助具は、柔軟で形状変更可変な第１の状態もしくは形状を保った状態で固定化される第２の状態を取り得る第１の部材および、柔軟で形状変更可能な第１の状態もしくは形状を保った状態で固定化される第２の状態を取り得る第２の部材を備え、内視鏡の挿通経路を形成する可撓性管部と、前記第１の部材および前記第２の部材の少なくとも一方に対して固定化を指示する操作部と、を備えている。
また、第２の発明による内視鏡挿入補助具は、前記第１の発明による内視鏡挿入補助具において、前記第２の部材は、前記第１の部材が挿通可能な内空が形成された管状部材であることを特徴とする。
【手続補正３】
【補正対象書類名】明細書
【補正対象項目名】０００８
【補正方法】変更
【補正の内容】
【０００８】
また、第３の発明による内視鏡挿入用補助具は、上記第２の発明による内視鏡挿入補助具において、前記第１の部材は、内視鏡が挿通可能な内空が形成された管状部材であることを特徴とする。
第４の発明による内視鏡挿入補助具は、上記第１の発明による内視鏡挿入補助具において、前記第１の部材と、前記第２の部材と、の少なくとも一方が、体腔内に挿入されて湾曲された状態で前記第２の状態をとることにより、さらに、体腔に対する位置を固定する機能を果たすものである。
【手続補正４】
【補正対象書類名】明細書
【補正対象項目名】０００９
【補正方法】変更
【補正の内容】
【０００９】
第５の発明による内視鏡挿入用補助具は、上記第２の発明による内視鏡挿入補助具において、前記第１の部材と、前記第２の部材と、の少なくとも一方が、体腔内に挿入されて湾曲された状態で前記第２の状態をとることにより、さらに、体腔に対する位置を固定する機能を果たすものである。
さらに、第６の発明による内視鏡挿入補助具は、内視鏡を内部に挿通し得るとともにバルーンを内部に挿通し得る挿通孔と、この挿通孔の周りに配列された複数の管路と、を備えた管状部材と、前記管状部材の管路内に挿通するためのものであり、柔軟で形状可変な第１の状態と、形状を保った状態で固定化される第２の状態と、を取り得るロッド状部材と、を具備し、前記ロッド状部材を前記管状部材の管路に挿通して延出させ、かつ、前記バルーンを前記管状部材の挿通孔に挿通して延出させた状態で、該バルーンを膨張させ、その後に該ロッド状部材に前記第２の状態をとらせることにより、体腔内における空間を確保する機能を果たすものである。
【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
始動条件が成立することに基づいて識別情報を変動表示する可変表示手段を備えた遊技機において、
前記可変表示手段が回動可能に軸支されて取り付けられる枠体と、
前記可変表示手段を回動させる駆動手段と、
所定の条件が成立することに基づいて前記可変表示手段を回動させるように前記駆動手段を制御する制御手段とを含む可変表示装置を備え、
前記可変表示手段は、その表面側と裏面側に、識別情報を表示する表示部をそれぞれ備えたことを特徴とする遊技機。
【請求項２】
請求項１に記載の遊技機において、
前記可変表示手段は、当該遊技機を正面視した状態で水平方向に複数個並べて設けられ、
前記複数個の可変表示手段は、それぞれ縦軸を中心に回動可能であり、かつ、互いの回動を妨げない程度の間隔を空けて配設されている
ことを特徴とする遊技機。
【請求項３】
請求項１または請求項２に記載の遊技機において、
さらに、前記可変表示装置は、
前記可変表示手段の裏面側に遊技媒体を貯留する貯留部と、
前記貯留部に遊技球を誘導する誘導手段と
を備え、
かつ、前記可変表示手段の回動に伴って前記貯留部の遊技球が流下する開口を形成するものである
ことを特徴とする遊技機。
【手続補正書】
【提出日】平成18年6月2日(2006.6.2)
【手続補正１】
【補正対象書類名】明細書
【補正対象項目名】特許請求の範囲
【補正方法】変更
【補正の内容】
【特許請求の範囲】
【請求項１】
制御回路を介して作動制御される少なくとも一つの機能を備える手術用顕微鏡と、
前記手術用顕微鏡に対応して設置されるアームレストと、
前記アームレストに設けられていて、前記手術用顕微鏡の前記機能を作動制御するように前記制御回路へ信号を送信する入力手段と、
を具備することを特徴とする手術用顕微鏡システム。
【請求項２】
前記手術用顕微鏡以外の作動制御される機能を有する装置を接続自在とするインターフェースを前記アームレストに設けたことを特徴とする請求項１記載の手術用顕微鏡システム。
【手続補正２】
【補正対象書類名】明細書
【補正対象項目名】００１６
【補正方法】変更
【補正の内容】
【００１６】
この発明は、上記の事情に鑑みてなされたもので、機能の選択操作を簡便にして容易に実現して、取扱い操作性の向上を図り得るようにした手術用顕微鏡システムを提供することを目的とする。
【手続補正３】
【補正対象書類名】明細書
【補正対象項目名】００１７
【補正方法】変更
【補正の内容】
【００１７】
【課題を解決するための手段】
この発明は、制御回路を介して作動制御される少なくとも一つの機能を備える手術用顕微鏡と、前記手術用顕微鏡に対応して設置されるアームレストと、前記アームレストに設けられていて、前記手術用顕微鏡の前記機能を作動制御するように前記制御回路へ信号を送信する入力手段とを備えて手術用顕微鏡システムを構成した。
【手続補正４】
【補正対象書類名】明細書
【補正対象項目名】００１８
【補正方法】変更
【補正の内容】
【００１８】
上記構成によれば、術者がアームレストに手を置き、繊細な手術を行っている中で、手術用顕微鏡の機能を操作する場合には、アームレストにそって手を移動させることで、入力手段に案内され、その切り替え操作を行うことができる。従って、術者は、術部を直視したままで、機能の操作が可能となり、その取扱い操作の向上が図れて手術効率の向上を図ることが可能となる。
【手続補正５】
【補正対象書類名】明細書
【補正対象項目名】０２０５
【補正方法】変更
【補正の内容】
【０２０５】
以上詳述したように、この発明によれば、機能の選択操作を簡便にして容易に実現して、取扱い操作性の向上を図り得るようにした手術用顕微鏡システムを提供することができる。
【手続補正書】
【提出日】平成18年10月10日(2006.10.10)
【手続補正１】
【補正対象書類名】明細書
【補正対象項目名】００１１
【補正方法】変更
【補正の内容】
【００１１】
また、実用的な消耗性確保及び速熱性確保を両立させる薄肉部の肉厚を好適に実現するには、請求項３記載の発明のように、上記折り曲げ工程にて、折り曲げられた管壁（１１１）と素材管（１１０）の軸とのなす角度が１５°〜６０°となるように、折り曲げを行うようにしても良い。
【手続補正２】
【補正対象書類名】明細書
【補正対象項目名】００４０
【補正方法】変更
【補正の内容】
【００４０】
一方、図４（ｂ）では、図４（ａ）の折り曲げ角度θａよりも小さい折り曲げ角度θｂとしたとき、突出部１１２における径内肉厚寸法は、（ａ）の径内肉厚寸法ａよりも大きいｂとなり、切削後は、この径内肉厚寸法ｂがそのまま薄肉部１１３の肉厚寸法となる。
【手続補正書】
【提出日】平成18年9月21日(2006.9.21)
【手続補正１】
【補正対象書類名】明細書
【補正対象項目名】００１７
【補正方法】変更
【補正の内容】
【００１７】
更に、上記外輪間座２ａの内側には、上記給油隙間１９に潤滑油を送り込む為の潤滑油通路２０を設けている。転がり軸受装置用潤滑装置を組み立てた状態で、この潤滑油通路２０の基端部（図１の上端部）開口は、前記主軸をその内側に支持する、図示しないハウジングの支持孔の内周面に開口した給油通路の開口部に整合する。又、上記潤滑油通路２０の先端部（図１の左下端部）に設けたノズル孔２１の先端開口は、上記ガイド傾斜面１６の中間部に対向している。主軸を設けた工作機械の運転時には、上記給油通路から上記潤滑油通路２０及びノズル孔２１を通じて上記ガイド傾斜面１６の中間部に潤滑油を吐出自在としている。尚、上記ノズル孔２１は、上記ガイド傾斜面１６の大径側に向け傾斜している。従って、このノズル孔２１から吐出された潤滑油は、その吐出の勢いによっても、上記ガイド傾斜面１６の大径側に向け移動する傾向になる。
【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】
【請求項１】
画像を領域分割して所望の被写体領域を抽出する画像処理装置において、
同一の情景に対して、焦点ずれによるぼけの程度が異なる複数の画像を撮像する撮像手段と、
上記複数の画像に基づいて、被写体までの距離情報を算出する距離情報算出手段と、
上記距離情報に基づいて、上記画像を複数の領域に分割する領域分割手段と
を備えることを特徴とする画像処理装置。
【請求項２】
上記距離情報算出手段は、上記画像の周波数成分を抽出する周波数成分抽出手段と、
複数の上記画像それぞれから抽出された上記周波数成分を比較して上記距離情報を算出する周波数成分比較手段を有する
ことを特徴とする請求項１に記載の画像処理装置。
【請求項３】
上記領域分割手段は、上記距離情報算出手段によって算出された上記距離情報を複数の閾値で閾値処理することにより、上記画像を複数の領域に分割する
ことを特徴とする請求項１に記載の画像処理装置。
【請求項４】
上記領域分割手段は、上記距離情報算出手段によって算出された上記距離情報を所定の１つの閾値で閾値処理することにより、上記画像を被写体領域と背景領域とに分割する
ことを特徴とする請求項１に記載の画像処理装置。
【請求項５】
画像を領域分割して所望の被写体領域を抽出する画像処理方法において、
同一の情景に対して、焦点ずれによるぼけの程度が異なる複数の画像を撮像する撮像ステップと、
上記複数の画像に基づいて、被写体までの距離情報を算出する距離情報算出ステップと、
上記距離情報に基づいて、上記画像を複数の領域に分割する領域分割ステップと
からなることを特徴とする画像処理方法。
【請求項６】
上記距離情報算出ステップは、複数の上記画像それぞれから周波数成分を抽出する周波数成分抽出ステップと、複数の上記周波数成分を比較して上記距離情報を算出する周波数成分比較ステップと
からなることを特徴とする請求項５に記載の画像処理方法。
【請求項７】
上記領域分割ステップは、上記距離情報算出ステップで算出した上記距離情報を複数の閾値で閾値処理することにより、上記画像を複数の領域に分割する
ことを特徴とする請求項５に記載の画像処理方法。
【請求項８】
上記領域分割ステップは、上記距離情報算出ステップで算出した上記距離情報を所定の１つの閾値で閾値処理することにより、上記画像を被写体領域と背景領域とに分割する
ことを特徴とする請求項５に記載の画像処理方法。
【手続補正書】
【提出日】平成18年4月27日(2006.4.27)
【手続補正１】
【補正対象書類名】明細書
【補正対象項目名】０００３
【補正方法】変更
【補正の内容】
【０００３】
電源電圧は、制御装置より電源ラインを介して物理量センサに供給される。センサ側ではこの供給電圧を電源として、物理量（例えば、圧力）検出、信号増幅・調整といった機能を経て、印加圧力のような物理量に比例した電圧変化（センサ信号）を出力ラインを介して制御装置に出力する。制御装置では、この出力電圧に基づいて各種制御を実施する。センサは、供給される電源電圧の微少な変動に対して、供給電圧の変動と同じ割合で出力電圧を加減する電源レシオ性を有するように設定されている。
【手続補正２】
【補正対象書類名】明細書
【補正対象項目名】０００５
【補正方法】変更
【補正の内容】
【０００５】
【発明が解決しようとする課題】
しかしながら、このような制御装置とセンサとの接続点において接触不良等による抵抗増加に起因する故障が発生する可能性がある。例えば、電源ラインにおいて接触抵抗が付加された場合には電源ラインにおける電位が下降し、接地ラインにおいて接触抵抗が付加された場合には接地ラインにおける電位が上昇する。
【手続補正３】
【補正対象書類名】明細書
【補正対象項目名】０００６
【補正方法】変更
【補正の内容】
【０００６】
この結果、センサに供給される電圧が低下し、上記物理量センサの電源レシオ性によって、出力ラインから実際の物理量（圧力）に対応した出力信号とは異なる出力信号が制御装置に出力されることとなる。ところが、制御装置側ではセンサ側で故障が発生していることを知ることができないという問題がある。
【手続補正４】
【補正対象書類名】明細書
【補正対象項目名】００２６
【補正方法】変更
【補正の内容】
【００２６】
【数１】
Ｖｒｅｆ＝Ｒ１１・Ｉ１１＋ＶBE1
【手続補正５】
【補正対象書類名】明細書
【補正対象項目名】００２７
【補正方法】変更
【補正の内容】
【００２７】
【数２】
Ｖｒｅｆ＝Ｒ１２・Ｉ１２＋ＶBE3
【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】
不整合区間のオーディオ信号を除去し、
上記除去した区間の前後のオーディオ信号の波形を参照して上記除去したオーディオ信号を類推し、
上記類推した結果に基づいて上記除去区間の信号を修復する修復信号を生成し、
上記修復信号を上記除去した区間に挿入して、除去した区間の前後のオーディオ信号と接続する、
ことを特徴とするオーディオ信号処理方法。
【請求項２】
オーディオ信号の不整合状態を検出し、上記不整合状態が検出されたとき上述した処理を行う、
請求項１記載のオーディオ信号処理方法。
【請求項３】
上記オーディオ信号を類推する段階において上記除去した区間前後の信号波形の類似性を評価し、
上記修復信号を生成する段階において類似性が最大となる波形によって修復信号を生成し、
上記オーディオ信号を接続する段階において上記挿入した修復信号と上記除去した区間の前後のオーディオ信号とをなめらかに接続する、
請求項１記載のオーディオ信号処理方法。
【請求項４】
上記修復信号を用いて波形を接続した区間と、上記不整合信号を除去した区間との間の時間ずれを計測して順次蓄積し、
ずれ時間の合計を一定のずれ時間を越えて不整合除去区間の信号が不足した場合に、再度、上記類推段階、修復信号生成段階、信号接続段階の処理を行う、
請求項３記載のオーディオ信号処理方法。
【請求項５】
上記オーディオ信号を類推する段階において上記除去区間の前後のオーディオ信号について相関関数を算出し、算出した相関関数を参照して上記類似性を評価する、
請求項３記載のオーディオ信号処理方法。
【請求項６】
上記修復信号を生成する段階において上記除去区間の前後のオーディオ信号についての相関関数を算出し、クロスフェード加算を行う
請求項３記載のオーディオ信号処理方法。
【請求項７】
上記オーディオ信号を接続する段階において上記除去区間の前後のオーディオ信号についてクロスフェード加算を行って滑らかな接続を行う、
請求項３記載のオーディオ信号処理方法。
【請求項８】
上記不整合状態の検出は記録媒体からオーディオ信号を読みだした時の読み出し手段のスキップ走査を検出して行う
請求項２記載のオーディオ信号処理方法。
【請求項９】
上記不整合状態の検出は上記オーディオ信号を統計処理し、上記オーディオ信号の急激な変動を検出して判断する
請求項２記載のオーディオ信号処理方法。
【請求項１０】
オーディオ信号に重畳されたショットノイズまたは信号スキップに起因する雑音および不連続についてノイズ区間のオーディオ信号を除去し、
ノイズ区間前後の信号波形の類似性を評価し、
類似性を最大とするように波形をなめらかに接続する
オーディオ信号処理方法。
【請求項１１】
不整合区間のオーディオ信号を除去する信号除去手段と、
上記除去した区間の前後のオーディオ信号の波形を参照して上記除去したオーディオ信号を類推する類推手段と、
上記類推して結果に基づいて上記除去区間の信号を修復する修復信号を生成する修復信号生成手段と、
上記修復信号を上記除去した区間に挿入して、除去した区間の前後のオーディオ信号と接続する信号接続手段と
を有するオーディオ信号処理装置。
【手続補正２】
【補正対象書類名】明細書
【補正対象項目名】００１７
【補正方法】削除
【補正の内容】
【手続補正書】
【提出日】平成18年3月17日(2006.3.17)
【手続補正１】
【補正対象書類名】明細書
【補正対象項目名】００３５
【補正方法】変更
【補正の内容】
【００３５】
波形整形部３４２では、ウォーブル信号ＳWBの２値化を行う。２値化されたウォーブル信号である信号ＤWBは検波部３４３に供給される。
【手続補正２】
【補正対象書類名】明細書
【補正対象項目名】００３６
【補正方法】変更
【補正の内容】
【００３６】
検波部３４３では信号ＤWBの復調処理を行い、バイフェーズ信号ＤBPを生成すると共にバイフェーズ信号ＤBPに同期したクロック信号ＣＫBPを生成する。この生成されたバイフェーズ信号ＤBP及びクロック信号ＣＫBPはアドレスデコード部３４４に供給される。
【手続補正３】
【補正対象書類名】明細書
【補正対象項目名】００３７
【補正方法】変更
【補正の内容】
【００３７】
アドレスデコード部３４４では、クロック信号ＣＫBPを用いてバイフェーズ信号ＤBPの復調処理を行いＡＴＩＰ情報信号ＤADを生成する。また、得られたＡＴＩＰ情報信号ＤADの同期信号のパターンを検出してＡＴＩＰ同期検出信号ＦＳＹを生成する。このＡＴＩＰ情報信号ＤADは、制御部５０に供給されると共に、ＡＴＩＰ同期検出信号ＦＳＹおよびバイオフェース信号ＤBPに同期したクロック信号ＣＫBPはスピンドルモータ駆動部２３に供給される。
【手続補正４】
【補正対象書類名】明細書
【補正対象項目名】００４０
【補正方法】変更
【補正の内容】
【００４０】
このスピンドルモータ駆動部２３では、光ディスク１０への信号記録時にはＡＴＩＰデコーダ３４からのＡＴＩＰ同期検出信号ＦＳＹおよびバイオフェース信号ＤBPに同期したクロック信号ＣＫBPを用いるものとし、光ディスク１０に記録されている信号の再生時には、データ処理部４０からのフレーム同期信号ＦＳＺを用いて、光ディスク１０を所望の速度で回転させるためのスピンドル駆動信号ＳSDPを生成する。このスピンドルモータ駆動部２３で生成されたスピンドル駆動信号ＳSDをスピンドルモータ部２２に供給することにより、光ディスク１０が所望の速度で回転される。
【手続補正５】
【補正対象書類名】図面
【補正対象項目名】図１３
【補正方法】変更
【補正の内容】
【図１３】
2001176082.tif 000001
【手続補正書】
【提出日】平成18年3月20日(2006.3.20)
【手続補正１】
【補正対象書類名】明細書
【補正対象項目名】特許請求の範囲
【補正方法】変更
【補正の内容】
【特許請求の範囲】
【請求項１】  ヘッドドラム上に配置され円軌跡上を移動する記録再生用の磁気ヘッドによって磁気テープへデータの記録再生を行う磁気テープドライブ装置であって、
上記磁気ヘッドに付着したステイン等の汚れを除去してクリーニングするためのクリーニング手段と、
上記磁気テープへのデータの記録又は再生時に、磁気テープのエラーレートを検出するようにされたエラーレート検出手段と、
上記エラーレート検出手段によって検出されたエラーレートを記憶するようにされたエラーレート記憶手段とを備え、
上記エラーレート検出手段によって検出されたエラーレートがテープカセットが挿入された後、最初にデータ再生を行って検出され基準エラーレートとして記憶されたエラーレートに対して所定の割合で増加した時に、クリーニング手段によって磁気ヘッドをクリーニングするようにした
ことを特徴とする磁気テープドライブ装置。
【請求項２】  磁気ヘッドに磁気抵抗効果素子を感磁部に使用したヘッドを用いた
ことを特徴とする請求項１に記載の磁気テープドライブ装置。
【請求項３】  データの記録時においては、定期的にエラーレートの検出を行うようにした
ことを特徴とする請求項１に記載の磁気テープドライブ装置。
【請求項４】  データの記録時においては、データの再生を同時に行ってエラーレートの検出を行うようにした
ことを特徴とする請求項１に記載の磁気テープドライブ装置。
【請求項５】  ヘッドドラム上に配置され円軌跡上を移動する記録再生用の磁気ヘッドをクリーニングするための磁気ヘッドのクリーニング方法であって、
使用中の磁気テープのエラーレートがテープカセットが挿入された後、最初にデータ再生を行って検出され基準エラーレートとして記憶されたエラーレートに対して所定の割合で増加した時に、クリーニング手段によって磁気ヘッドをクリーニングするようにした
ことを特徴とする磁気ヘッドのクリーニング方法。
【手続補正２】
【補正対象書類名】明細書
【補正対象項目名】０００９
【補正方法】変更
【補正の内容】
【０００９】
【課題を解決するための手段】
上記課題を解決するために、本発明磁気テープドライブ装置は、磁気ヘッドに付着したステイン等の汚れを除去してクリーニングするためのクリーニング手段と、磁気テープへのデータの記録又は再生時に磁気テープのエラーレートを検出するエラーレート検出手段と、エラーレート検出手段が検出したエラーレートを記憶するようにしたエラーレート記憶手段とを備え、エラーレート検出手段が検出したエラーレートがテープカセットが挿入された後、最初にデータ再生を行って検出され基準エラーレートとして記憶されたエラーレートに対して所定の割合で増加した時に、クリーニング手段によって磁気ヘッドをクリーニングするようにしたものである。
【手続補正３】
【補正対象書類名】明細書
【補正対象項目名】００１０
【補正方法】変更
【補正の内容】
【００１０】
また、本発明磁気ヘッドのクリーニング方法は、使用中の磁気テープのエラーレートがテープカセットが挿入された後、最初にデータ再生を行って検出され基準エラーレートとして記憶されたエラーレートに対して所定の割合で増加した時に、クリーニング手段によって磁気ヘッドをクリーニングするようにしたものである。
【手続補正４】
【補正対象書類名】明細書
【補正対象項目名】００３８
【補正方法】変更
【補正の内容】
【００３８】
【発明の効果】
以上に説明したように本発明磁気テープドライブ装置は、ヘッドドラム上に配置され円軌跡上を移動する記録再生用の磁気ヘッドによって磁気テープへデータの記録再生を行う磁気テープドライブ装置であって、磁気ヘッドに付着したステイン等の汚れを除去してクリーニングするためのクリーニング手段と、記磁気テープへのデータの記録又は再生時に磁気テープのエラーレートを検出するエラーレート検出手段と、エラーレート検出手段によって検出されたエラーレートを記憶するエラーレート記憶手段とを備え、エラーレート検出手段によって検出されたエラーレートがテープカセットが挿入された後、最初にデータ再生を行って検出され基準エラーレートとして記憶されたエラーレートに対して所定の割合で増加した時にクリーニング手段によって磁気ヘッドをクリーニングするようにしたので、使用する磁気テープ毎に磁気ヘッドに汚れが付着していることの判断基準となるエラーレートを測定して記憶して、この基準エラーレートと現時点で検知したエラーレートを比較することによって、使用する磁気テープ毎に、実際に、記録再生ヘッドの汚れによるエラーレートが悪化したことを検知することができると共に、使用する磁気テープが元来有するエラーレートのバラツキによる記録再生ヘッドの汚れの判断の誤認を防いで、磁気ヘッドの汚れを的確に除去することができる。
【手続補正５】
【補正対象書類名】明細書
【補正対象項目名】００４２
【補正方法】変更
【補正の内容】
【００４２】
また、本発明磁気ヘッドのクリーニング方法は、ヘッドドラム上に配置され円軌跡上を移動する記録再生用の磁気ヘッドをクリーニングするための磁気ヘッドのクリーニング方法であって、使用中の磁気テープのエラーレートがテープカセットが挿入された後、最初にデータ再生を行って検出され基準エラーレートとして記憶されたエラーレートに対して所定の割合で増加した時に、クリーニング手段によって磁気ヘッドをクリーニングするようにしたので、この方法を磁気テープドライブ装置に適用した場合には、使用する磁気テープ毎に磁気ヘッドに汚れが付着していることの判断基準となるエラーレートを測定して記憶して、この基準エラーレートと現時点で検知したエラーレートを比較することによって、使用する磁気テープ毎に、実際に、記録再生ヘッドの汚れによるエラーレートが悪化したことを検知することができるようになると共に、使用する磁気テープが元来有するエラーレートのバラツキによる記録再生ヘッドの汚れの判断の誤認を防いで、磁気ヘッドの汚れを的確に除去することができるようになる。
【手続補正書】
【提出日】平成18年10月16日(2006.10.16)
【手続補正１】
【補正対象書類名】明細書
【補正対象項目名】発明の名称
【補正方法】変更
【補正の内容】
【発明の名称】端子台とこれを用いた配電盤
【手続補正２】
【補正対象書類名】明細書
【補正対象項目名】特許請求の範囲
【補正方法】変更
【補正の内容】
【特許請求の範囲】
【請求項１】  端子台本体に併設した複数個の導電板と、前記導電板に脱着自在にねじ込んだねじと、前記導電板同志を仕切るために端子台本体に設けたバリアとを備えて構成された端子台において、
前記導電板をクの字状に形成するとともに、中央部を境にして両側を下側に傾斜させて構成し、前記バリアを、前記導電板と同様にクの字状に形成したことを特徴とする端子台。
【請求項２】  請求項１に記載の端子台を備えてなることを特徴とする配電盤。
【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】１次ボビンの外周に巻回された１次コイルと、前記１次コイルに誘導結合された２次ボビンの外周に複数のコイル層に分割して同軸上に巻回された２次コイルと、前記２次コイルからの高電圧を平滑するためのコンデンサと、前記２次コイルの高圧出力側からの高電圧出力の電圧変動を検出する抵抗体と、高電圧を低電圧にして検出できるよう複数の抵抗体で分割された分割抵抗器とを具備し、前記コンデンサと前記分割抵抗器を略平行に隣接に配設したことを特徴とするフライバックトランス。
【請求項２】略平行に隣接に配設された前記分割抵抗器と前記コンデンサの対向した面において、前記分割抵抗器の面積が前記コンデンサの面積の６０％以下にすることを特徴とした請求項１記載のフライバックトランス。
【請求項３】略平行に隣接に配設された前記分割抵抗器と前記コンデンサの対向した面において、前記分割抵抗器の長手方向の寸法が前記コンデンサの略平行方向の寸法よりも短くしたことを特徴とした請求項１に記載のフライバックトランス。
【請求項４】略平行に隣接に配設された前記分割抵抗器と前記コンデンサの対向した面において、前記分割抵抗器の長手方向と他方の寸法が前記コンデンサの略平行方向寸法の５０％以下にすることを特徴とした請求項１に記載のフライバックトランス。
【請求項５】略平行に隣接に配設された前記分割抵抗器と前記コンデンサの対向した面において、１０ｍｍ以上離すことを特徴とした請求項１に記載のフライバックトランス。
【請求項６】略平行に隣接に配設された前記分割抵抗器と前記コンデンサにおいて、前記分割抵抗器の印刷面を前記コンデンサに対して直交または略直行方向に配設することを特徴とした請求項１に記載のフライバックトランス。
【請求項７】略平行に隣接に配設された前記コンデンサの面と前記分割抵抗器の面が対向しないように配設していることを特徴とした請求項１に記載のフライバックトランス。
【手続補正書】
【提出日】平成18年2月28日(2006.2.28)
【手続補正１】
【補正対象書類名】明細書
【補正対象項目名】０００３
【補正方法】変更
【補正の内容】
【０００３】
ところで、物体の明視化には前眼部形状（特に水晶体、前房深度）の変化が作用している。明視は眼の屈折力を変化させて網膜像を明瞭することであり、物体が近くにある場合、水晶体が厚くなり、前房深度が浅くなることが一般的に知られている。